(57)【要約】【課題】取り外し構造を目立ちにくくしながらも光源ユニットを器具本体から容易に取り外すことができる光源ユニット、及び照明器具を提供する。【解決手段】光源ユニット２は、長尺の器具本体１に対して着脱可能である。光源ユニット２は、実装基板２２１が取り付けられる長尺の取付部材２１と、実装基板２２１を覆うように取付部材２１に取り付けられる長尺のカバー２３とを備える。カバー２３は、カバー２３の短手方向の両端において器具本体１の一部を覆う一対の延出部２３２を有する。一対の延出部２３２の少なくとも一方は、器具本体１に光源ユニット２が取り付けられた状態において器具本体１との間に隙間を形成する引掛凹部２３２Ａを有する。【選択図】図１
2018137181.tif 000002
【特許請求の範囲】
【請求項１】
長尺の器具本体に対して着脱可能に取り付けられる光源ユニットであって、
１乃至複数の発光素子が実装されている長尺の実装基板と、
前記実装基板が取り付けられる長尺の取付部材と、
前記実装基板を覆うように前記取付部材に取り付けられる長尺のカバーと、を備え、
前記カバーは、前記カバーの短手方向の両端において前記器具本体の一部を覆う一対の延出部を有し、
前記一対の延出部の少なくとも一方は、前記器具本体に前記光源ユニットが取り付けられた状態において前記器具本体との間に隙間を形成する引掛凹部を有する
光源ユニット。
【請求項２】
前記器具本体に設けられた引掛金具に対して着脱可能に引っ掛けられる引掛ばねを更に備え、
前記引掛凹部は、前記カバーの長手方向において前記引掛ばねの近傍に設けられている
請求項１に記載の光源ユニット。
【請求項３】
前記器具本体は、
前記光源ユニットの少なくとも一部が収納される収納凹部と、
前記収納凹部の短手方向の両端に設けられて前記器具本体に前記光源ユニットが取り付けられた状態で前記一対の延出部によって覆われる一対の対向部と、を有し、
前記器具本体の短手方向において、前記引掛凹部の幅寸法は前記一対の対向部の幅寸法よりも小さい
請求項１又は２に記載の光源ユニット。
【請求項４】
前記引掛凹部の開口端縁は面取りされている
請求項１〜３のいずれか１項に記載の光源ユニット。
【請求項５】
請求項１〜４のいずれか１項に記載の光源ユニットと、
前記器具本体と、を備える
照明器具。
【発明の詳細な説明】
【技術分野】
【０００１】
本発明は、一般に光源ユニット、及び照明器具に関し、より詳細には、造営面に取り付けられた器具本体に対して着脱可能に取り付けられる光源ユニット、及び当該光源ユニットを備えた照明器具に関する。
【背景技術】
【０００２】
特許文献１には、天井に取り付けられる照明器具が記載されている。特許文献１に記載の照明器具は、本体ユニット（器具本体）と、本体ユニットに対して着脱可能に取り付けられるカバー部材（光源ユニット）と、を備える。カバー部材の側面には、使用者によって摘ままれる凹みが設けられている。そして、使用者が凹みを摘まんだ状態でカバー部材を下方向に引っ張ることにより、カバー部材が本体ユニットから取り外される。
【先行技術文献】
【特許文献】
【０００３】
【特許文献１】特開２０１５−１４１７６９号公報
【発明の概要】
【発明が解決しようとする課題】
【０００４】
特許文献１に記載の照明器具では、カバー部材を取り外す際に使用者によって摘ままれる凹みがカバー部材の側面に設けられているため、照明器具が天井に取り付けられた状態では凹みが目立っていた。
【０００５】
本発明は上記課題に鑑みてなされており、取り外し構造を目立ちにくくしながらも光源ユニットを器具本体から容易に取り外すことができる光源ユニット、及び照明器具を提供することを目的とする。
【課題を解決するための手段】
【０００６】
本発明の一態様に係る光源ユニットは、長尺の器具本体に対して着脱可能に取り付けられる。前記光源ユニットは、実装基板と、取付部材と、カバーと、を備える。前記実装基板は、長尺であって、１乃至複数の発光素子が実装されている。前記取付部材は、長尺であって、前記実装基板が取り付けられる。前記カバーは、長尺であって、前記実装基板を覆うように前記取付部材に取り付けられる。前記カバーは、前記カバーの短手方向の両端において前記器具本体の一部を覆う一対の延出部を有する。前記一対の延出部の少なくとも一方は、前記器具本体に前記光源ユニットが取り付けられた状態において前記器具本体との間に隙間を形成する引掛凹部を有する。
【０００７】
本発明の一態様に係る照明器具は、前記光源ユニットと、前記器具本体と、を備える。
【発明の効果】
【０００８】
本発明によれば、取り外し構造を目立ちにくくしながらも光源ユニットを器具本体から容易に取り外すことができる。
【図面の簡単な説明】
【０００９】
【図１】図１Ａは、本発明の一実施形態に係る光源ユニット及び照明器具を造営面に取り付けた状態を示す断面図である。図１Ｂは、図１ＡにおけるＸ部拡大図である。
【図２】図２は、同上の照明器具の分解斜視図である。
【図３】図３は、同上の照明器具の一部省略した断面図である。
【図４】図４Ａは、同上の光源ユニット及び照明器具の斜視図である。図４Ｂは、図４ＡにおけるＹ部拡大図である。
【発明を実施するための形態】
【００１０】
以下、本実施形態に係る光源ユニット２及び照明器具１０について、図１Ａ〜図４Ｂを参照して説明する。下記の実施形態は、本発明の様々な実施形態の一つに過ぎない。また、下記の実施形態は、本発明の目的を達成できれば、設計等に応じて種々の変更が可能である。
【００１１】
以下の説明では特に断りのない限り、図１Ａ〜図４Ｂに示す矢印により、光源ユニット２及び照明器具１０の上下、左右、前後の各方向を規定する。すなわち、光源ユニット２及び照明器具１０の長手方向を左右方向とし、光源ユニット２及び照明器具１０の短手方向を前後方向とし、光源ユニット２及び照明器具１０の高さ方向、つまり天井１００の下面１００Ａ（図１Ａ参照）の法線方向を上下方向とする。ただし、これらの方向は光源ユニット２及び照明器具１０の使用方向を規定する趣旨ではない。また、図１Ａ〜図４Ｂに示す矢印は、単に説明を補助する目的で記載しているに過ぎず、実体を伴わない。
【００１２】
本実施形態に係る照明器具１０は、図１Ａ及び図２に示すように、器具本体１と、光源ユニット２と、を備えている。器具本体１は、吊りボルト２００（図２参照）に固定され、天井１００の下面１００Ａに直付けされる。光源ユニット２は、器具本体１に対して着脱可能に取り付けられる。
【００１３】
器具本体１は、板金に曲げ加工を施すことで長尺かつ上面（天井１００との対向面）が開口する扁平な箱状に形成される。器具本体１は、天井１００と反対側（下側）に、光源ユニット２を収容するための矩形の収納凹部１１が器具本体１の長手方向（左右方向）の全長に亘って設けられている。器具本体１の短手方向（前後方向）における収納凹部１１の両側には、それぞれ対向部１３が設けられている。各対向部１３は、天井１００の下面１００Ａと平行になるように、前後方向に沿って延びている。各対向部１３の端縁には、傾斜部１２が設けられている。各傾斜部１２は、対向部１３の端縁から器具本体１の短手方向（前後方向）に延出し、かつ外側に向かって上方へ傾斜している。
【００１４】
収納凹部１１の底板１１１には、電源線３０を通すための孔１１１Ａが長手方向（左右方向）におけるほぼ中央に設けられている。また、底板１１１には、吊りボルト２００を通すための孔１１１Ｂが長手方向（左右方向）における両端寄りの位置にそれぞれ設けられている。さらに、収納凹部１１の一方（前側）の側板１１２には、左右方向に長い矩形の挿通孔１１２Ａが器具本体１の長手方向（左右方向）における両端寄りの位置にそれぞれ設けられている（図２では片方の挿通孔１１２Ａのみ図示）。これらの挿通孔１１２Ａに、取付部材２１に取り付けられた吊り金具２６（後述する）が引っ掛けられることで、器具本体１に光源ユニット２を仮保持させることができる。
【００１５】
また、収納凹部１１の他方（後側）の側板１１２の近傍には、一対の引掛ばね２７（後述する）がそれぞれ引っ掛けられる一対の引掛金具２８が取り付けられている。一対の引掛金具２８は、一対の引掛ばね２７と一対一に対応している。一対の引掛金具２８の各々は、図３に示すように、器具本体１に取り付けるための取付部２８１と、引掛ばね２７の腕部２７３（後述する）が引っ掛けられる引掛部２８２と、を有する。各引掛金具２８は、左右方向から見た形状がＵ字状である。これらの引掛金具２８は、固定ねじ２０１を用いて、器具本体１の収納凹部１１の底板１１１に取り付けられる（図３参照）。また、これらの引掛金具２８は、器具本体１の長手方向（左右方向）における両端寄りの位置にそれぞれ取り付けられる（図２参照）。
【００１６】
収納凹部１１の底板１１１の下面には、電源線３０が電気的に接続される端子台２５が取り付けられる。端子台２５には、接地線を含む３本の電線２５０が電気的に接続されている。３本の電線２５０の先端には、プラグコネクタ２５１が電気的に接続されている。
【００１７】
光源ユニット２は、図１Ａ及び図２に示すように、取付部材２１と、複数（例えば２つ）のＬＥＤモジュール２２と、カバー２３と、を有している。また、光源ユニット２は、電源装置２４を更に有している。
【００１８】
複数のＬＥＤモジュール２２は、長手方向（左右方向）に沿って並んで配置されている。複数のＬＥＤモジュール２２の各々は、前後方向に長い矩形の実装基板２２１を有する。実装基板２２１の一面（下面）には、複数のＬＥＤ（発光素子）２２２が長手方向（左右方向）に沿って１列に並べて実装（配置）されている。複数のＬＥＤモジュール２２のいずれか１つには、電源装置２４（後述する）との間を電気的に接続するための第１コネクタが設けられている。
【００１９】
また、各ＬＥＤモジュール２２の長手方向における両端部には、電源供給用の一対の第２コネクタが実装されている。そして、互いに隣接する両ＬＥＤモジュール２２の第２コネクタ同士が電気的に接続されることで、一方のＬＥＤモジュール２２から他方のＬＥＤモジュール２２に点灯電力が供給される。
【００２０】
取付部材２１は、板金に曲げ加工を施すことでＵ字状に形成されている。取付部材２１は、長尺かつ矩形板状の底板２１１と、底板２１１の前後方向（短手方向）における両端から上向きに延出する一対の側板２１２と、を有する。一対の側板２１２の先端（上端）には、互いに離れる向き（外向き）に傾斜する一対の傾斜部２１２Ａがそれぞれ全長に亘って設けられている（図１Ａ参照）。上述したＬＥＤモジュール２２は、取付部材２１の底板２１１の一部を切り起こすことで形成された爪によって取付部材２１に固定される。
【００２１】
また、取付部材２１は、長手方向（左右方向）における両端寄りの位置において短手方向（前後方向）の一端側（図１Ａの左側）に配置される一対の吊り金具２６と、短手方向の他端側（図１Ａの右側）に配置される一対の引掛ばね２７とを有している（図２参照）。
【００２２】
一対の吊り金具２６の各々は、前後方向（図１Ａの左右方向）に長い矩形板状の主片２６１と、主片２６１の先端（前端）において一体に形成された引掛片２６２と、を有する。引掛片２６２は、主片２６１の先端（前端）を折り曲げることで形成される。一対の吊り金具２６は、取付部材２１の長手方向（左右方向）における両端寄りの位置にそれぞれ取り付けられる。一対の吊り金具２６は、器具本体１の収納凹部１１の一方（前側）の側板１１２に形成された一対の挿通孔１１２Ａと一対一に対応している。そして、各吊り金具２６の引掛片２６２を対応する挿通孔１１２Ａの端縁に引っ掛けることで、光源ユニット２が器具本体１に仮保持される。
【００２３】
一対の引掛ばね２７の各々は、図３に示すように、線ばねをコイル状に巻くことで形成されたリング状の基部２７１と、基部２７１の両端から互いに離れる方向に伸びる一対の腕部２７２，２７３と、を有する。一対の引掛ばね２７の各々は、本実施形態では所謂キックばね（ねじりコイルばね）である。これらの引掛ばね２７は、基部２７１及び一方の腕部２７２によって取付部材２１に取り付けられる。他方の腕部２７３の先端には、腕部２７３の先端を折り曲げることで形成された引掛部２７３Ａが一体に設けられている。一対の引掛ばね２７は、取付部材２１の長手方向（左右方向）における両端寄りの位置にそれぞれ取り付けられる。
【００２４】
カバー２３は、光拡散性を有する材料（例えば乳白色のアクリル樹脂）により上面（取付部材２１側の面）が開口する長尺の箱状に形成される。カバー２３は、前後方向（幅方向）において両端側から中央側に行くほど下側への突出量が大きくなるような凸レンズ形状の主部２３１を有している（図１Ａ参照）。
【００２５】
カバー２３の短手方向（前後方向）における両端部には、図１Ａに示すように、光源ユニット２が器具本体１に取り付けられた状態で、上下方向において器具本体１の対向部１３と重なる延出部２３２がそれぞれ設けられている。さらに、カバー２３の左右方向において延出部２３２の内側には、上側（取付部材２１側）に突出する突壁部２３３がそれぞれ全長に亘って設けられている。各突壁部２３３の先端には、内向きに突出する突起部２３３Ａがそれぞれ設けられている。また、各突壁部２３３の根元近くには、それぞれ内向きに突出する支持片２３３Ｂが突出している。
【００２６】
電源装置２４は、電源基板２４１と、電源基板２４１を収納するための収納ケース２４２と、を有する。電源基板２４１は、左右方向に長い矩形のプリント配線板である。プリント配線板の一面には、少なくともＬＥＤ２２２の点灯電力を生成するために必要な電子部品（例えば、トランス、ダイオード、コンデンサなど）が実装されている。収納ケース２４２は、図１Ａに示すように、一面（取付部材２１の底板２１１との対向面）が開口し、かつ前後方向に長い矩形箱状である。収納ケース２４２は、開口側が取付部材２１の底板２１１と対向するようにして、例えば、取付部材２１の側板２１２にねじ止めされる。
【００２７】
次に、本実施形態に係る光源ユニット２の組立手順について説明する。以下の説明では、吊り金具２６及び引掛ばね２７が取付部材２１に予め取り付けられていると仮定する。
【００２８】
まず、作業者は、取付部材２１の底板２１１の上面に電源装置２４を取り付ける。次に、作業者は、取付部材２１の底板２１１に形成された爪によってＬＥＤモジュール２２を底板２１１に固定する。さらに、作業者は、ＬＥＤモジュール２２と電源装置２４との間を電線により電気的に接続する。そして最後に、作業者は、開口側を上向きにした状態でカバー２３を取付部材２１に取り付ける。このとき、カバー２３の各突壁部２３３に設けられた突起部２３３Ａが、取付部材２１の各側板２１２に設けられた傾斜部２１２Ａに引っ掛かり、これによりカバー２３が取付部材２１に取り付けられる。以上のような手順に従って、光源ユニット２が組み立てられる。なお、取付部材２１にカバー２３を取り付ける上記方法は一例であり、他の方法であってもよい。
【００２９】
次に、本実施形態に係る照明器具１０の施工手順について説明する。以下の説明では、端子台２５及び引掛金具２８が器具本体１の収納凹部１１の底板１１１に予め取り付けられていると仮定する。
【００３０】
まず、作業者は、天井１００から露出する電源線３０を器具本体１に設けられた孔１１１Ａに通し、かつ天井１００から露出する吊りボルト２００を孔１１１Ｂに通した後、吊りボルト２００にナット３００をねじ込んで器具本体１を天井１００に固定する。その後、作業者は、電源線３０を端子台２５に接続し、さらに端子台２５のプラグコネクタ２５１を電源装置２４に接続する。これにより、電源装置２４と電源線３０とが、端子台２５を介して電気的に接続される。そして最後に、作業者は、少なくとも電源装置２４が収納凹部１１に収納されるようにして、器具本体１に光源ユニット２を取り付ける。
【００３１】
ここで、光源ユニット２を器具本体１に取り付ける手順について詳述する。まず、作業者は、取付部材２１に取り付けられた一対の吊り金具２６の各々の主片２６１を、器具本体１に設けられた一対の挿通孔１１２Ａのうち対応する挿通孔１１２Ａに挿通させた後、各引掛片２６２を対応する挿通孔１１２Ａの端縁に引っ掛ける。これにより、光源ユニット２が器具本体１に仮保持される。次に、作業者は、吊り金具２６側を回転中心として、一対の引掛ばね２７が器具本体１に近づく向きに、所定位置（引掛ばね２７の腕部２７３が引掛金具２８に届く位置）まで光源ユニット２を回転させる。その後、作業者は、光源ユニット２を保持した状態で、各引掛ばね２７の引掛部２７３Ａを対応する引掛金具２８の引掛部２８２に引っ掛ける。そして、この状態から、作業者が光源ユニット２を更に回転させると、各引掛ばね２７の腕部２７３が対応する引掛金具２８の引掛部２８２の上面に摺動しながら、図３に示す位置まで移動する。その結果、光源ユニット２が器具本体１に取り付けられる。
【００３２】
光源ユニット２が器具本体１に取り付けられた状態では、各引掛金具２８に対して対応する引掛ばね２７からの弾性力が下向きに加えられており、この弾性力の反力によって光源ユニット２が上向きに押し上げられる。このとき、カバー２３の一対の延出部２３２の各々は、上下方向において、器具本体１の一対の対向部１３のうち対応する対向部１３と対向している（図１Ａ及び図１Ｂ参照）。またこのとき、一対の吊り金具２６の各々は、器具本体１の一対の挿通孔１１２Ａのうち対応する挿通孔１１２Ａの端縁に主片２６１が接触している（図１Ａ参照）。以上のような手順に従って、照明器具１０が天井１００に取り付けられる。
【００３３】
ところで、本実施形態に係る光源ユニット２は、上述したように、器具本体１に対して着脱可能である。つまり、本実施形態に係る光源ユニット２は、器具本体１から取り外すことができる。ここで、光源ユニット２を器具本体１から取り外す場合、作業者は、カバー２３の延出部２３２と器具本体１との間の隙間に爪を差し込んだ状態で、引掛ばね２７の弾性力に抗ってカバー２３を下向きに引っ張ることになる。このため、作業者からの力がカバー２３に伝わりにくく、カバー２３を容易に取り外すことができなかった。そこで、本実施形態では、図１Ｂ、図４Ａ及び図４Ｂに示すように、カバー２３の延出部２３２に引掛凹部２３２Ａを設けている。以下、引掛凹部２３２Ａについて説明する。
【００３４】
カバー２３の一対の延出部２３２のうち一方（後側）の延出部２３２には、複数（本実施形態では２つ）の引掛凹部２３２Ａが設けられている。複数の引掛凹部２３２Ａは、延出部２３２の長手方向（左右方向）における両端寄りの位置にそれぞれ設けられている（図４Ａ参照）。複数の引掛凹部２３２Ａの各々は、延出部２３２の一部を切り欠くことで形成される。具体的には、各引掛凹部２３２Ａは、図１Ｂに示すように、前後方向において延出部２３２の一部を残した状態に形成され、各引掛凹部２３２Ａの前後方向の幅寸法Ｗ２は、例えば指先が引っ掛かるように２〜３ｍｍ程度である。また、各引掛凹部２３２Ａは、図４Ａ及び図４Ｂに示すように、カバー２３の長手方向に沿って形成され、各引掛凹部２３２Ａの左右方向の長さ寸法Ｌ１は、例えば親指を除いた４本の指が引っ掛かるように１００ｍｍ程度である。
【００３５】
ここで、各引掛凹部２３２Ａの前後方向における幅寸法Ｗ２が、一対の対向部１３のうち上下方向（天井１００の下面１００Ａの法線方向）において対向する対向部１３の前後方向における幅寸法Ｗ１よりも大きい場合を想定する。この場合には、器具本体１に光源ユニット２が取り付けられた状態において、器具本体１の収納凹部１１と引掛凹部２３２Ａとが連続するため、例えば虫や塵埃など異物が引掛凹部２３２Ａを通して収納凹部１１内に進入する可能性がある。したがって、各引掛凹部２３２Ａの前後方向における幅寸法Ｗ２は、一対の対向部１３のうち上下方向において対向する対向部１３の前後方向における幅寸法Ｗ１よりも小さいことが好ましい。
【００３６】
そして、器具本体１から光源ユニット２を取り外す際には、作業者は、２つの引掛凹部２３２Ａにそれぞれ指を引っ掛けた状態で引掛ばね２７の弾性力に抗ってカバー２３を下向きに引っ張ることで、光源ユニット２を器具本体１から取り外すことができる。
【００３７】
ところで、器具本体１から光源ユニット２を取り外す際には、上述したように、引掛ばね２７の弾性力に抗ってカバー２３を下向きに引っ張ることになる。このため、カバー２３に対して加える力が小さくなるように、各引掛凹部２３２Ａは、カバー２３の長手方向（左右方向）において、一対の引掛ばね２７のうち対応する引掛ばね２７の近傍に設けられていることが好ましい。より好ましくは、各引掛凹部２３２Ａは、カバー２３の短手方向（前後方向）において、一対の引掛ばね２７のうち対応する引掛ばね２７と対向する位置に設けられているのがよい。これらの場合には、各引掛凹部２３２Ａが、カバー２３の長手方向において対応する引掛ばね２７から離れた位置に設けられている場合と比較して、小さい力で光源ユニット２を取り外すことができる。
【００３８】
また、図４Ｂに示すように、各引掛凹部２３２Ａの開口端縁に面取り２３２Ｂが施されていることが好ましい。本実施形態に係る照明器具１０は、天井１００に取り付けられているため、面取り２３２Ｂが施されていない場合には引掛凹部２３２Ａの開口端縁の角部に作業者の指が接触することによって痛みを感じる可能性がある。これに対して、本実施形態のように、引掛凹部２３２Ａの開口端縁に面取り２３２Ｂが施されていれば、作業者の指が引掛凹部２３２Ａの開口端縁に接触したとしても痛みを感じにくいという利点がある。
【００３９】
以下、本実施形態に係る光源ユニット２及び照明器具１０の変形例について説明する。
【００４０】
本実施形態では、照明器具１０が天井１００に取り付けられる照明器具を例として説明したが、照明器具１０は、例えば壁などの天井以外の場所に取り付けられる照明器具であってもよい。
【００４１】
本実施形態では、一対の延出部２３２のうち一方（後側）の延出部２３２に引掛凹部２３２Ａが設けられている場合を例として説明したが、一対の延出部２３２の両方にそれぞれ引掛凹部２３２Ａが設けられていてもよい。つまり、一対の延出部２３２の少なくとも一方に引掛凹部２３２Ａが設けられていればよい。
【００４２】
また、本実施形態では、引掛凹部２３２Ａが２つの場合を例として説明したが、引掛凹部２３２Ａの個数は２つに限らず、１つであってもよいし、３つ以上であってもよい。
【００４３】
さらに、引掛凹部２３２Ａの形状は一例であって、例えば、引掛凹部２３２Ａは、カバー２３の短手方向（前後方向）において延出部２３２を貫通していてもよい。
【００４４】
また、本実施形態における引掛凹部２３２Ａの寸法（長さ寸法Ｌ１及び幅寸法Ｗ２）は一例であって、適宜変更可能である。
【００４５】
本実施形態では、ＬＥＤモジュール２２（実装基板２２１）が２つの場合を例として説明したが、ＬＥＤモジュール２２は、１つであってもよいし、３つ以上であってもよい。
【００４６】
本実施形態では、引掛ばね２７がキックばね（ねじりコイルばね）である場合を例として説明したが、引掛ばね２７はキックばねに限らず、例えば板ばねであってもよい。一例として、器具本体に一対の板ばねが取り付けられ、光源ユニットに一対の板ばねの一部（先端部）が嵌まり込む一対の嵌合孔が設けられている場合を想定する。この場合、光源ユニットを器具本体に近づけていくことによって、一対の板ばねが互いに近づく向き（内向き）に撓められる。そして、器具本体に対して光源ユニットを所定の位置まで移動させると、一対の板ばねの一部が一対の嵌合孔にそれぞれ嵌まり込み、光源ユニットが器具本体に取り付けられる。このとき、一対の板ばねは、弾性力によって互いに離れる向き（外向き）に移動する。
【００４７】
以上述べた実施形態から明らかなように、第１の態様に係る光源ユニット２は、長尺の器具本体１に対して着脱可能に取り付けられる。光源ユニット２は、実装基板２２１と、取付部材２１と、カバー２３と、を備える。実装基板２２１は、長尺であって、１乃至複数の発光素子（ＬＥＤ２２２）が実装されている。取付部材２１は、長尺であって、実装基板２２１が取り付けられる。カバー２３は、長尺であって、実装基板２２１を覆うように取付部材２１に取り付けられる。カバー２３は、カバー２３の短手方向の両端において器具本体１の一部を覆う一対の延出部２３２を有する。一対の延出部２３２の少なくとも一方は、器具本体１に光源ユニット２が取り付けられた状態において器具本体１との間に隙間を形成する引掛凹部２３２Ａを有する。
【００４８】
第１の態様によれば、カバー２３に設けられた引掛凹部２３２Ａに指を引っ掛けることによって、引掛凹部２３２Ａが設けられていない場合と比較して、光源ユニット２を器具本体１から容易に取り外すことができる。また、引掛凹部２３２Ａが、カバー２３の短手方向の両端に位置する延出部２３２に設けられているので、カバーの側面に取り外し構造（凹み）が設けられている場合と比較して、取り外し構造が目立ちにくくなるという利点もある。
【００４９】
第２の態様に係る光源ユニット２は、第１の態様において、器具本体１に設けられた引掛金具２８に対して着脱可能に引っ掛けられる引掛ばね２７を更に備える。引掛凹部２３２Ａは、カバー２３の長手方向において引掛ばね２７の近傍に設けられている。
【００５０】
第２の態様によれば、作業者の指を引っ掛けるための引掛凹部２３２Ａが引掛ばね２７の近傍に設けられているので、引掛凹部２３２Ａが引掛ばね２７から離れた位置に設けられている場合と比較して、小さい力で光源ユニット２を取り外すことができる。ただし、この構成は必須ではなく、引掛凹部２３２Ａは、カバー２３の長手方向において引掛ばね２７の近傍に設けられていなくてもよい。
【００５１】
第３の態様に係る光源ユニット２では、第１又は２の態様において、器具本体１は、収納凹部１１と、一対の対向部１３と、を有する。収納凹部１１は、光源ユニット２の少なくとも一部が収納される。一対の対向部１３は、収納凹部１１の短手方向の両端に設けられて、器具本体１に光源ユニット２が取り付けられた状態で一対の延出部２３２によって覆われる。器具本体１の短手方向において、引掛凹部２３２Ａの幅寸法Ｗ２は一対の対向部１３の幅寸法Ｗ１よりも小さい。
【００５２】
第３の態様によれば、引掛凹部２３２Ａの幅寸法Ｗ２が対向部１３の幅寸法Ｗ１よりも小さいので、器具本体１に光源ユニット２が取り付けられた状態において器具本体１の収納凹部１１と引掛凹部２３２Ａとが連続しない。このため、虫や塵埃などの異物が引掛凹部２３２Ａを通して収納凹部１１内に進入しにくくなるという利点がある。ただし、この構成は必須ではなく、器具本体１の短手方向において、引掛凹部２３２Ａの幅寸法Ｗ２が一対の対向部１３の幅寸法Ｗ１よりも小さくなくてもよい。言い換えると、引掛凹部２３２Ａの幅寸法Ｗ２は、一対の対向部１３の幅寸法Ｗ１以上であってもよい。
【００５３】
第４の態様に係る光源ユニット２では、第１〜３のいずれかの態様において、引掛凹部２３２Ａの開口端縁は面取りされている。
【００５４】
第４の態様によれば、引掛凹部２３２Ａの開口端縁が面取りされているので、作業者の指が引掛凹部２３２Ａの開口端縁に接触したとしても痛みを感じにくいという利点がある。ただし、この構成は必須ではなく、引掛凹部２３２Ａの開口端縁が面取りされていなくてもよい。
【００５５】
第５の態様に係る照明器具１０は、上述の光源ユニット２と、器具本体１と、を備える。
【００５６】
第５の態様によれば、カバー２３に設けられた引掛凹部２３２Ａに指を引っ掛けることによって、引掛凹部２３２Ａが設けられていない場合と比較して、光源ユニット２を器具本体１から容易に取り外すことができる。また、引掛凹部２３２Ａが、カバー２３の短手方向の両端に位置する延出部２３２に設けられているので、カバーの側面に取り外し構造（凹み）が設けられている場合と比較して、取り外し構造が目立ちにくくなるという利点もある。
【符号の説明】
【００５７】
１  器具本体
１１  収納凹部
１３  対向部
２８  引掛金具
２  光源ユニット
２１  取付部材
２２１  実装基板
２２２  ＬＥＤ（発光素子）
２３  カバー
２３２  延出部
２３２Ａ  引掛凹部
２３２Ｂ  面取り
２７  引掛ばね
１０  照明器具
Ｗ１，Ｗ２  幅寸法
【図１】
2018137181.tif 000003
【図２】
2018137181.tif 000004
【図３】
2018137181.tif 000005
【図４】
2018137181.tif 000006